(57)【要約】  映像情報を有するマルチレイヤ記録キャリアが他のマルチレイヤ記録キャリアに複製されるとき、ソース記録キャリアの２つの記録レイヤ上にわたるデータは、ターゲット記録キャリアの２つのレイヤにわたっていなければならない。ターゲット記録キャリアの適切なレイヤ移行が確定されると、第１レイヤのサイズは第１論理アドレスを移動することにより調整され、これにより、ターゲット記録キャリアの第１レイヤの論理アドレススペースをソース記録キャリアの第１レイヤから取得された映像情報に正確に適合するよう制限することができる。論理アドレススペースが調整されると、記録中に映像情報の適切なポイントにおいて、レイヤ移行が自動的に行われる。【特許請求の範囲】
【請求項１】
第１レイヤ、第２レイヤ及びレイヤ移行ポイントを有するマルチレイヤ記録キャリアへの入力に与えられる情報を記録する記録装置であって、
前記マルチレイヤ記録キャリアの第１レイヤと第２レイヤに情報を書き込む書き込み手段と、
前記入力及び前記書き込み手段に結合される処理手段と、
を有し、
前記処理手段は、レイヤ移行ポイント決定手段と論理アドレス調整手段とを有し、
前記論理アドレス調整手段は、前記レイヤ移行ポイント決定手段により提供されるレイヤ移行ポイントに基づき第１論理アドレスを調整するよう動作する、
ことを特徴とする記録装置。
【請求項２】
請求項１記載の記録装置であって、
前記レイヤ移行ポイント決定手段は、前記映像情報を処理することにより前記レイヤ移行ポイントを決定するよう構成されることを特徴とする記録装置。
【請求項３】
請求項１記載の記録装置であって、
前記レイヤ移行ポイント決定手段は、当該記録装置に提供される情報ファイルから前記レイヤ移行ポイントを決定するよう構成されることを特徴とする記録装置。
【請求項４】
ターゲットマルチレイヤ記録キャリアにソースマルチレイヤ記録キャリアを複製する方法であって、
前記ソースマルチレイヤ記録キャリアの第１レイヤから映像情報を抽出するステップと、
前記ソースマルチレイヤ記録キャリアの第２レイヤから映像情報を抽出するステップと、
前記第１レイヤと前記第２レイヤから抽出された映像情報を記録装置に転送するステップと、
前記映像情報の適当なレイヤ移行ポイントを決定するステップと、
前記映像情報を第１映像セクションと第２映像セクションに分割するステップと、
調整された前記第１論理アドレスからの前記第１映像セクションの記録を開始するとき、前記決定されたレイヤ移行ポイントが前記ターゲット記録キャリアのレイヤ移行ポイントの論理アドレスと一致するように、前記ターゲットマルチレイヤ記録キャリアの第１レイヤの第１論理アドレスの物理位置を調整するステップと、
前記ターゲットマルチレイヤ記録キャリアの第１レイヤの前記調整された第１論理アドレスにおいて始まる前記ターゲットマルチレイヤ記録キャリアに前記記録装置に転送された映像情報を記録するステップと、
を有することを特徴とする方法。
【請求項５】
請求項４記載のソースマルチレイヤ記録キャリアを複製する方法であって、
前記適当なレイヤ移行ポイントを決定するステップは、レイヤ移行要求に従うレイヤ移行ポイントを決定するため、前記転送された映像情報を処理するステップを有することを特徴とする方法。
【請求項６】
請求項４記載のソースマルチレイヤ記録キャリアを複製する方法であって、
前記適当なレイヤ移行ポイントを決定するステップは、
前記ソースマルチレイヤ記録キャリアからレイヤ移行ポイントを抽出するステップと、
前記レイヤ移行ポイントをレコーダに転送するステップと、
を有することを特徴とする方法。
【請求項７】
請求項４乃至６何れか一項記載のソースマルチレイヤ記録キャリアを複製する方法であって、
前記決定されたレイヤ移行ポイントが前記ターゲット記録キャリアのレイヤ移行ポイントの論理アドレスと一致するように、前記ターゲットマルチレイヤ記録キャリアの第１レイヤの第１論理アドレスの物理位置を調整するステップは、
前記映像情報のスタートから前記レイヤ移行ポイントの論理アドレスオフセットを計算するステップと、
調整された第１論理アドレスを取得するため、前記ターゲット記録キャリアの第１レイヤの最大論理アドレスから前記論理アドレスオフセットを減ずるステップと、
前記調整された第１論理アドレスを前記ターゲット記録キャリアのインデックスファイルに格納するステップと、
を有することを特徴とする方法。
【請求項８】
請求項４乃至７何れか一項記載のソースマルチレイヤ記録キャリアを複製する方法であって、
当該方法はさらに、前記映像情報の記録完了後、ダミー情報を未記録エリアに記録するステップを有することを特徴とする方法。
【発明の詳細な説明】
【技術分野】
【０００１】
本発明は、第１レイヤ、第２レイヤ及びレイヤ移行ポイントを有するマルチレイヤ記録キャリアへの入力に与えられる情報を記録する記録装置であって、記録キャリアの第１レイヤに情報を書き込む書き込み手段と、入力及び書き込み手段に接続される処理手段とを有する記録装置と、ターゲット記録キャリアにソースマルチレイヤ記録キャリアを複製するための方法に関する。
【背景技術】
【０００２】
このような方法は、パーソナルコンピュータに利用可能な現在のＤＶＤコピープログラムから知られている。
【０００３】
ここでは、ＤＶＤリーダは、ソースマルチレイヤ記録キャリアから映像情報を抽出し、当該映像情報を処理し、処理された映像情報を記録キャリアへの記録のため、ＤＶＤレコーダに提供する。ＤＶＤ−ＲＯＭ記録キャリアは、デュアルレイヤフォーマットにより利用可能であるため、このタイプの記録キャリアの複製は、現在の記録可能ＤＶＤ記録キャリアにとって問題がある。なぜなら、現在の記録可能ＤＶＤ記録キャリアは、シングルレイヤであり、デュアルレイヤＤＶＤ−ＲＯＭ記録キャリアの記録容量の約半分しか提供しないからである。デュアルレイヤＤＶＤ−ＲＯＭ記録キャリアからの映像データをシングルレイヤＤＶＤ記録可能記録キャリアに適合させるため、映像情報を圧縮せねばならず、画質の劣化が生ずる。
【０００４】
このため、デュアルレイヤ記録可能ＤＶＤ記録キャリアが開発されてきた。これは、圧縮による画質低下を回避しながら、デュアルレイヤＤＶＤ−ＲＯＭ記録キャリアの複製を可能にする。なぜなら、デュアルレイヤＤＶＤレコーダブルは、さらなる圧縮なしに映像情報を保持するのに十分な記憶容量を提供するためである。
【０００５】
しかしながら、映像情報を受信すると、記録装置はある問題に直面する。
【０００６】
ここで、ＤＶＤレコーダブルが２つの記録レイヤを有すると、もはや圧縮は必要とされず、ターゲット記録キャリアの２つのレイヤに映像情報を適切に記録するため、映像情報を有するＤＶＤ記録キャリアに適用可能なものとして、ＤＶＤ規格の仕様の範囲内でレイヤ移行ポイントが確定される必要がある。
【０００７】
レコーダは、映像情報を受信し、ＤＶＤ映像規格の要件が満足される、すなわち、移行が非シームレスとなり、セル境界で生じるレイヤ移行の適切なポイントを確定するため映像情報を処理することができる。レコーダは、これらの条件が発生するポジションのため映像情報をスキャンすることができ、記録キャリアの第１レイヤの残りの容量、映像情報により求められる残りの容量及び第２レイヤの残りの容量が与えられると、当該ポジションが適切なポジションであるか検討することができる。
【０００８】
デュアルレイヤＤＶＤ−Ｒ記録可能記録キャリアは、記録キャリアの第１レイヤの物理的アドレス領域のエンドに固定されたレイヤ移行ポイントを有する。これは、プリエンボスされたリードインエリアの結果である。従って、ターゲット記録キャリアのレイヤ移行ポイントの論理アドレスは、ソース記録キャリアのレイヤ移行ポイントと一致しなくなる。
【０００９】
これの問題点は、ターゲット記録キャリア上に複製された映像情報を再生中に不具合が発生するということである。
【発明の開示】
【発明が解決しようとする課題】
【００１０】
本発明の方法の課題は、上記問題点を解決し、ソース記録キャリアと同じ映像情報のポジションにレイヤ移行ポイントを維持しながら、ソース記録キャリアを複製する方法を提供することである。
【課題を解決するための手段】
【００１１】
上記課題を解決するため、本方法は、
・前記ソースマルチレイヤ記録キャリアの第１レイヤから映像情報を抽出するステップと、
・前記ソースマルチレイヤ記録キャリアの第２レイヤから映像情報を抽出するステップと、
・前記第１レイヤと前記第２レイヤから抽出された映像情報を記録装置に転送するステップと、
・前記映像情報の適当なレイヤ移行ポイントを決定するステップと、
・前記映像情報を第１映像セクションと第２映像セクションに分割するステップと、
・調整された前記第１論理アドレスからの前記第１映像セクションの記録を開始するとき、前記決定されたレイヤ移行ポイントが前記ターゲット記録キャリアのレイヤ移行ポイントの論理アドレスと一致するように、前記ターゲットマルチレイヤ記録キャリアの第１レイヤの第１論理アドレスの物理位置を調整するステップと、
・前記ターゲットマルチレイヤ記録キャリアの第１レイヤの前記調整された第１論理アドレスにおいて始まる前記ターゲットマルチレイヤ記録キャリアに前記記録装置に転送された映像情報を記録するステップと、
を有する。
【００１２】
記録キャリアの第１レイヤ上の映像情報のスタートポイントをシフトすることによって、映像情報の第１セクションのエンドが、ターゲット記録キャリアの固定されたレイヤ移行ポイントと一致するよう移動することができる。第１論理アドレスの物理位置を調整することによって、ターゲット記録キャリアのスタートポイントを移動することができる。物理アドレススペースの論理アドレススペースのスタートの移動は、映像情報の記録を固定されたレイヤ移行ポイントの方向にシフトすることを可能にする。映像情報の記録のエンドが、レイヤ移行ポイントと一致するとき、レコーダは、ターゲット記録キャリアの第１レイヤ上の物理アドレススペースのエンドを到達によりトリガーされるレイヤ移行を自動的に実行する。レコーダは第２レイヤ上への記録を続け、残りの映像情報である第２映像セクションは、第２レイヤ上に記録される。第１レイヤの第１論理アドレスの物理アドレスが変更されるため、これによりスキップされたエリアは、ブランクのままにすることができる。なぜなら、再生装置は、示された第１論理アドレスにおいて再生装置をスタートするため。当該エリアを自動的にスキップするからである。
【００１３】
デュアルレイヤ記録キャリアの可読性に関する検討のみが、物理アドレススペースのスタートと論理アドレススペースのスタートの最初の論理アドレスとの間のスキップされたエリアにダミー情報を記録することを要求することができる。
【００１４】
言い換えると、レイヤ移行を取得するため、レコーダは、映像情報を記録する際に、自動的なレイヤジャンプが、映像情報の記録がターゲットマルチレイヤ記録キャリアの第１レイヤ上の利用可能なスペースを使い果たすときに実行されるように、決定されたレイヤ移行ポイントに基づき第１レイヤの使用可能な論理アドレススペースを減少させる。
【００１５】
ソースマルチレイヤ記録キャリアを複製する方法の実施例は、前記適当なレイヤ移行ポイントを決定するステップが、
・レイヤ移行要求に従うレイヤ移行ポイントを決定するため、前記転送された映像情報を処理するステップを有することにより特徴付けされる。
【００１６】
レコーダにより受信される映像情報の処理は、非シームレスであって、再生の短時間の中断が視聴者に明らかとはならない位置において実行される、レイヤ移行がセル境界において実行されるようなレイヤ移行に対する適用可能な要求に従う映像情報のポイントをレコーダが決定することを可能にする。
【００１７】
ソースマルチレイヤ記録キャリアを複製する方法のさらなる実施例は、前記適当なレイヤ移行ポイントを決定するステップが、
・前記ソースマルチレイヤ記録キャリアからレイヤ移行ポイントを抽出するステップと、
・前記レイヤ移行ポイントをレコーダに転送するステップと、
を有することにより特徴付けされる。
【００１８】
レイヤ移行ポイントに適した位置を求めるため、映像情報を処理する代わりに、ソース記録キャリア上に存在するようなもとのレイヤ移行ポイントは、ターゲット記録キャリアに適したレイヤ移行ポイントを決定するためのスタートポイントとして利用可能である。ソース記録キャリアのオーサリング中、レイヤ移行ポイントに適用されるすべての要求は、すでに考慮されており、適切なレイヤ移行ポイントが決定されている。レコーダは、映像情報に加えて、レイヤ移行ポイントを提供するよう構成される再生装置によってレコーダに提供されるように、この情報を利用することができる。ここで、レコーダは、映像情報において受信したレイヤ移行ポイントがターゲット記録キャリアの固定されたレイヤ移行ポイントと一致するように、論理アドレススペースのスタートの論理アドレスを確定しさえすればよい。
【００１９】
ソースマルチレイヤ記録キャリアを複製する方法のさらなる実施例は、前記決定されたレイヤ移行ポイントが前記ターゲット記録キャリアのレイヤ移行ポイントの論理アドレスと一致するように、前記ターゲットマルチレイヤ記録キャリアの第１レイヤの第１論理アドレスの物理位置を調整するステップが、
・前記映像情報のスタートから前記レイヤ移行ポイントの論理アドレスオフセットを計算するステップと、
・調整された第１論理アドレスを取得するため、前記ターゲット記録キャリアの第１レイヤの最大論理アドレスから前記論理アドレスオフセットを減ずるステップと、
・前記調整された第１論理アドレスを前記ターゲット記録キャリアのインデックスファイルに格納するステップと、
を有することにより特徴付けされる。
【００２０】
第１レイヤの第１論理アドレスは、第１論理アドレスの調整された物理アドレスをターゲット記録キャリアのインデックスファイルに格納することによって、物理アドレスに調整可能である。調整された物理アドレスをインデックスファイルに格納した後の記録は、レコーダが記録のため論理アドレッシングを利用するよう構成されるため、新たに規定された論理アドレススペースを利用することとなる。従って、この記録は正確なオフセットにおいて開始され、論理アドレススペース及び第１レイヤ上の物理アドレススペースのエンドにちょうど到達すると、映像情報の第１セクションの記録を完了することとなる。
【発明を実施するための最良の形態】
【００２１】
図１は、デュアルレイヤＯＴＰ記録キャリアに記録される映像情報を示す。
【００２２】
記録キャリア３は、情報が記録される第１レイヤ１と第２レイヤ２とを有する。この情報は、ＭＰＥＧ２映像ストリームなどの映像情報である、映像情報は単一のレイヤでは間に合わないため、第１レイヤ１は、映像情報を有する第１セクション４を有し、第２レイヤ２はまた、映像情報を有する第２セクション５を有する。映像情報が第１レイヤ１全体では間に合わなかったとしても、記録キャリアの発行者は、他の理由のため、映像情報を第１レイヤ上の第１セクションと第２レイヤ上の第２セクションに分割することを依然として決定することができる。図示される記録キャリアはＯＴＰタイプのものであるため、第１セクション４のサイズは、第２セクション５の最大サイズを決定する。これは、第１レイヤ１が第１レイヤのスタートから、読み出しが第２レイヤ２に変わるレイヤ移行ポイント６まで外側に読み出され、セクション５では内側に続くという事実によるものである。従って、第２レイヤ２の第２セクション５は、第１レイヤ１の第１セクション４より大きなものとなる可能性はない。
【００２３】
各レイヤの物理的アドレッシングは、第１レイヤと第２レイヤの最大サイズにわたる。これと対照的に、ＯＴＰタイプの記録キャリア上の論理的アドレッシングは、第１レイヤ１の第１セクション４のスタートからレイヤ移行ポイント６へ外側に実行される。論理的アドレッシングは、第２セクションのスタート７に続き、第２セクション５のエンドにおいて終了する。
【００２４】
従って、第１レイヤ１の第３セクション８と第２レイヤの第４セクション９は、論理的アドレッシングではなく、記録キャリアの物理的アドレッシングに構成される。マスタリング中、レイヤ移行ポイント６は、映像データを処理し、非シームレスレイヤ移行が実現可能なセル境界に現れる適切なシーンを、例えば、低ビットレートにより検索することにより決定される。さらなる目的は、２つのレイヤ１と２の映像情報量をバランスさせ、これにより、ほぼ等しいサイズの第１セクション４と第２セクション５を取得することである。これは、映像情報により充填されない第２セクション５の残りのエリアを充填するのに要するパディング量を低減する。図示されるソース記録キャリアは、記録可能タイプ又はＲＯＭタイプの記録キャリアとすることができる。
【００２５】
図２は、デュアルレイヤＰＴＰ記録キャリアに記録される映像情報を示す。
【００２６】
ＰＴＰタイプ記録キャリアは、情報が記録される第１レイヤ２０と第２レイヤ２１とを有する。この情報は、ＭＰＥＧ２映像ストリームなどの映像情報である。映像情報は単一のレイヤには収容できないため、第１レイヤ２０は、映像情報を有する第１セクション２２を有し、第２レイヤ２１はまた、映像情報を有する第２セクション２３を有する。もちろん、記録キャリアの発行者は、他の理由から情報を２つのレイヤ２０と２１に分割することを決定することもできる。図示される記録キャリアはＰＴＰタイプのものであるため、第１セクション２２のサイズは、第２セクション２３のサイズに影響は与えない。これは、第１レイヤ２０が第１レイヤのスタートから、読み出しが第２レイヤ２１のスタートに変わるレイヤ移行ポイント２４まで外側に読み出され、再び第２セクション２３をそれのエンド２６まで外側に続けられる。
【００２７】
これらレイヤの物理的アドレッシングは、第１レイヤ２０と第２レイヤ２１の最大サイズにわたる。これと対照的に、ＰＴＰタイプの記録キャリア上の論理的アドレッシングは、第１レイヤ２０の第１セクション２２のスタートから、レイヤ移行ポイント２４へ外側に行われる。論理的アドレッシングは、第２セクション２３のスタート２５に続き、第２セクション２３のエンド２６において終了する。
【００２８】
従って、第１レイヤ２０の第３セクション２７と第２レイヤ２１の第４セクション２８は、論理的アドレッシングではなく、記録キャリアの物理的アドレッシングにおいて構成される、マスタリング中、レイヤ移行ポイント２４が、映像データを処理し、非シームレスレイヤ移行が実現可能なセル境界において現れる適切なシーンを、例えば、低ビットレートにより検索することにより決定される。ＰＴＰ記録キャリアでは、２つのレイヤ２０と２１上の映像情報量をバランスさせるというさらなる目的はない。この結果、第１セクション２２と第２セクション２３は、異なるサイズを有すことが可能であり、第２セクション２３は、第１セクション２２より小さく、等しく又は大きくすることができる。
【００２９】
図３は、デュアルレイヤＯＴＰ記録キャリアに複製される映像情報を示す。
【００３０】
図３は、特別な対策がとられないとき、ソースマルチプレーヤー記録キャリアをターゲットマルチプレーヤー記録キャリアに複製する際に生ずることを示す。
【００３１】
図１に示されるようなデュアルレイヤＯＴＰ記録キャリアが、通常の方法により複製されるとき、映像情報はソース記録キャリアの論理アドレススペースから抽出され、ターゲット記録キャリアに記録するため、レコーダに提供される。映像情報を有する単一のストリーム又はデータファイルがレコーダに提供され、これにより、レコーダは、オーサリング中と同様に、レイヤ移行ポイントに適した映像情報のポイントを検出する必要がある。図３は、物理アドレススペースのエンド３３の固定されたレイヤ移行ポイントを有する記録キャリアの２つのレイヤ３０と３１を示す。第１レイヤ３０は、映像情報の第１部分を有する第１セクション３２とプリエンボスセクション３４を有する。図１及び２のソース記録キャリア上の映像情報と図３の映像情報との間の関係を理解するのに供するため、図１及び２のもとのレイヤ移行ポイント６と２４の映像情報の位置は、図３においてライン３５により示される。レイヤ移行ポイント３３は、第１レイヤ３０の論理及び物理アドレススペースのエンドに固定されている場合、映像情報の第１セクション３２のエンドをマーク付けする。レイヤ移行ポイントがターゲット記録キャリアの映像情報のエンドに向かって移動しているため、ソース記録キャリアの第１レイヤと第２レイヤの両方からの映像情報が、ターゲット記録キャリアの第１レイヤ上に記録される。映像情報と論理アドレススペースは、第２レイヤ上で第２セクション３７のスタート３６から第２セクション３７のエンド３８に続けられる。この複製方法の問題点は、映像情報が処理される必要があり、ソース記録キャリアのもとのレイヤ移行ポイントが失われるということであり、ターゲット記録キャリアについて、新たな潜在的に不利なレイヤ移行ポイントが選択されねばならない。
【００３２】
図４は、デュアルレイヤＰＴＰ記録キャリアに複製される映像情報を示す。図３の記載と同様に、図４は、特別な対策がとられていないとき、ソースマルチプレーヤー記録キャリアをターゲットマルチプレーヤー記録キャリアに複製する際に生じるものを示す。
【００３３】
図２に示されるようなデュアルレイヤＰＴＰ記録キャリアが複製されると、映像情報はソース記録キャリアの論理アドレススペースから抽出され、ターゲット記録キャリアへの記録のため、レコーダに提供される。映像情報を有する単一のストリーム又はデータファイルがレコーダに提供され、これにより、レコーダは、オーサリング中と同様に、レイヤ移行ポイントに適した映像情報のポイントを検出しなければならない。図４は、第１レイヤ４０の物理的エンドに近接するレコーダにより決定されるレイヤ移行ポイント４３を示す。第１レイヤ４０は、映像情報の第１部分を有する第１セクション４２とプリエンボスセクション４４を有する。レイヤ移行ポイント４３は、第１セクション４２のエンドと、第１レイヤ３０の論理アドレススペースのエンドをマーク付けする。映像情報は、レイヤ移行ポイント４３まで記録され、第２レイヤの論理アドレススペースにおいて、第２セクション４６のスタート４５から第２セクション４６のエンド４７へ続けられる。レコーダは、レイヤ移行ポイント４３が固定されているため、各セクション４２と４６に構成される映像情報量をバランスさせることができない。第３セクション４８は、論理的アドレッシングに構成されない。この複製方法の問題点は、映像情報が処理される必要があり、ソース記録キャリアのもとのレイヤ移行ポイントが失われるということであり、新たな潜在的に不利なレイヤ移行ポイントが、ターゲット記録キャリアについて選択されねばならない。
【００３４】
図５ａは、再生装置からレコーダへ映像情報を転送するファイル構造を示す。
【００３５】
映像情報の必須処理を回避し、ソース記録キャリア上の分割と同一のターゲット記録キャリアの２つのレイヤ上の映像情報のもとの分割を複製するハンドルをレコーダに提供するため、図５ａは、第１ファイル５０と第２ファイル５３を有するファイル構造を示す。第１ファイルは、ソースマルチプレーヤー記録キャリアの映像情報を有する。再生装置のみが、第１レイヤの第１セクションから読み出される映像情報の第１セクション５１と、ソースマルチプレーヤー記録キャリアの第２レイヤの第２セクションから読み出される映像情報の第２セクション５２の両方を有する連続する論理アドレススペースを単一のストリーム又はファイルに提供するため、第２ファイル５３は第１ファイル５０に加えてレコーダにより提供される。第２ファイル５３は、レイヤ移行ポイントの論理アドレスを有する。このようにして、レコーダは映像情報をもはや処理する必要はないが、ソース記録キャリアのもとのレイヤ移行ポイントの提供された論理アドレスを利用して、ターゲット記録キャリアの適切なレイヤ移行ポイントを決定することができる。
【００３６】
ソース記録キャリアと比較して、ターゲット記録キャリアの物理アドレススペースの一定のオフセットが、レコーダにより容易に考慮可能である。独立した第２ファイル５３の効果は、当該第２ファイル５３が、映像情報を有する第１ファイル５０とは独立したレコーダに転送可能であるということである。
【００３７】
再生装置は、独立したファイルを使用する場合、第１ファイル５０の前に第２ファイル５３を転送しなければならない。ＤＶＤファイル構造では、レイヤ移行ポイントの論理アドレスを有するのに適したファイルが、１以上のＶＯＢファイルに映像情報に関する他の情報を有するＩＦＯファイルである。
【００３８】
図５ｂは、再生装置からレコーダに映像情報を転送するさらなるファイル構造を示す。
【００３９】
他の可能性は、映像情報の第１セクションを有するファイル５４の第１セクション５６のセクション５５にレイヤ移行情報の論理アドレスを含めることである。レイヤ移行ポイントの論理アドレスを有するセクション５５が、第１セクション５６のスタートに配置される状況が示される。
【００４０】
レコーダは、映像情報の記録が開始される前に、レイヤ移行ポイントのポジションを知っている必要があるため、レイヤ移行ポイントの論理アドレスは、レコーダが記録前にレイヤ移行ポイントの論理アドレスを受け取ることを保証するため、映像情報の前に配置される必要がある。
【００４１】
通常の複製プロセスの効果が図１〜４において説明されたが、図６は、ターゲット記録キャリアの論理アドレスの適切な調整を取得するため、レイヤ移行ポイントのポジションのレコーダへの転送がどのように利用可能であるか示す。
【００４２】
図６は、他のデュアルレイヤＯＴＰ記録キャリアを複製するのに用意されたデュアルレイヤＯＴＰ記録キャリアを示す。
【００４３】
図６のデュアルレイヤ記録キャリアは、第１レイヤ６０と第２レイヤ６１を有する。第１レイヤは、レコーダと共に再生装置のため記録キャリア情報を有するプリエンボスエリアである第１セクション６８を有する。このエリアは記録不可である。第２セクション６２は、第１論理アドレス６３を第１レイヤのエンドに近接した異なる物理アドレスに移動させることによりスキップされる。従って、第１レイヤ６０上の論理アドレスレンジは、第１レイヤ６１の最初の論理アドレス６３から最後の物理アドレスまでの第３セクション６４に限定される。
【００４４】
その後、この第３セクションは、図５ａの映像情報の第１セクション５１を記録するのに利用される。この最初の論理アドレスは、ターゲット記録キャリアの第３セクション６４において正確に適合する図５ａの映像情報の第１セクション５１を生じさせる上記物理アドレスに移動される。
【００４５】
図５ａのファイル５０の映像情報の残りの第２セクション５２は、ターゲット記録キャリアの第２レイヤ６１に配置された第４セクション６５に以降において記録することができる。レコーダは、レコーダにより映像情報自体から決定されるような、又は図５ａや５ｂのファイル５３や５４に含まれ、抽出されるようなレイヤ移行ポイントの論理アドレスに対してオフセット計算を実行することにより、最初の論理アドレスの物理アドレスを調整する。
【００４６】
図５ａの第２ファイル５３からソース記録キャリア上の移行ポイントの論理アドレスを読み出す代わりに、適切なレイヤ移行ポイントが、映像情報を処理し、特定の条件が満たされ、特に非シームレスな移行が利用可能であり、セル境界が配置される映像情報のポジションと、映像情報がシーンのコンテンツ及びビットレートに関する特定の基準を満たすシーンを含むポジションを検索することによって、映像情報自体から導出することができる。低ビットレート及び暗いシーン又はアクションや高速に移動するコンテンツを有しないシーンは、レイヤ移行ポイントに適した映像情報のポジションの具体例である。
【００４７】
従って、レコーダが図５ａの第１ファイル５０などから映像情報を記録開始するとき、レコーダは最初の論理アドレスにおいて記録を開始し、映像情報の記録がレイヤ移行ポイントがソース記録キャリアに配置された映像情報のポイントまでちょうど進捗したときの第３セクション６４のエンドに対応する第１レイヤ６０の最後の物理アドレスに到達するため、レイヤ移行を自動的に実行することができる。レコーダは、第１レイヤの最後の物理アドレスに到達すると、レコーダが自動的レイヤ移行を実行することを可能にするのに必要なすべての手段をすでに有する。第１レイヤの最初の論理アドレスの物理アドレスを調整することによって、自動的なレイヤ移行を実行するレコーダの手段が、記録中の最大論理アドレスに到達することによりトリガーされ、レイヤ移行を自動的に実行する。第１レイヤの最初の論理アドレスが第１レイヤ上のデフォルト物理アドレスのスタートから始められたとき、自動的なレイヤ移行が、映像情報の潜在的に不適切なポジションにおいて実行されることとなる。ターゲット記録キャリア上のレイヤ移行が、記録キャリアのオーサリング中に注意深く選択されたものと同一のターゲット記録キャリアの映像情報に関する適切なポジションに配置されることを保証するのは、第１レイヤの最初の論理アドレスの物理アドレスの調整である。
【００４８】
第１レイヤ６０の最大となる物理アドレスに到達すると、レコーダは、レイヤ移行を自動的に実行し、第２レイヤ６１上の第４セクション６５における図５ａの第１ファイル５０の第２セクション５２のスタートから、残りの映像情報の記録を続ける。この記録は、第４セクション６５のエンド６６において完了される。可読性の要求に対するデ・アイシング（ｄｅ−ｉｃｉｎｇ）などを除き、第５セクション６７の記録は実行される必要はない。第１レイヤ６０の第１論理アドレス６３の物理アドレスは、ＶＴＳＭファイルのＤＶＤ構造の記録キャリアの場合など、記録キャリアのインデックスファイルに記録される。
【００４９】
図７は、他のデュアルレイヤＰＴＰ記録キャリアを複製するデュアルレイヤＰＴＰ記録キャリアを示す。
【００５０】
図７のデュアルレイヤ記録キャリアは、第１レイヤ７０と第２レイヤ７１を有する。第１レイヤ７０は、レコーダと共に再生装置のための記録キャリア情報を有するプリエンボスエリアである第１セクション７０ａを有する。第２セクション７２は、第１論理アドレス７３を第１レイヤのエンドに近接する異なる物理アドレスに移動することによりスキップされる。従って、第１レイヤ７０上の論理アドレスレンジは、第３セクション７４に限定される。図５ａの映像情報の第１セクション５１を記録するため、レコーダは、図５ａのファイル５０の映像情報の第１セクション５１が、ターゲット記録キャリアの第１レイヤ７０の第３セクション７４に正確に適合するように配置される第１論理アドレス７３の再配置を調整している。この後、図５ａのファイル５０の映像情報の残りの第２セクション５２は、ターゲット記録キャリアの第２レイヤ７１上の第４セクション７６に記録することができる。これを実現するため、レコーダは、図５ａの映像情報の第１セクション５１に正確に適合する格納エリアを提供するため、論理アドレススペースのスタートの物理アドレスを物理アドレスのエンド方向に移動することによって、第１レイヤ７０の論理アドレススペースを減少させる。従って、第３セクション７４に記録されるとき、映像情報の第１セクション５１のエンドは、第１レイヤ７０の最後の物理アドレスと、これにより、ターゲット記録キャリアのレイヤ移行ポイントに一致することとなる。
【００５１】
第１論理アドレスのシフトが基づく適切なレイヤ移行ポイントがまた、映像情報を処理し、特定の条件が満足される、特に非シームレスな移行が利用可能であり、セル境界が特定される映像情報のポジションと、映像情報がシーンのコンテンツ及びビットレートに関する特定の基準を満足するシーンを含むポジションを検索することによって、映像情報自体から導出することが可能であるということに留意すべきである。低ビットレート及び暗いシーン又はアクションや高速に移動するコンテンツを有しないシーンが、レイヤ移行ポイントに適した映像情報のポジションの具体例である。
【００５２】
図６及び７の説明は、図５ａのファイル構造を利用するが、図５ｂのファイル構造もまた等しく利用可能である。
【００５３】
従って、レコーダが図５ａの第１ファイル５０から映像情報の記録を開始すると、レイヤ移行ポイントがソース記録キャリア上に配置された映像情報のポイントに映像情報の記録が進捗したちょうどそのとき、レコーダは第１レイヤ７０の物理アドレススペースのエンドである最後の物理アドレスに到達するため、レイヤ移行は自動的に実行される。第１レイヤ７０の最後の物理アドレスに到達すると、レコーダは、レイヤ移行を自動的に実行し、第４セクション７６のエンドまで第２レイヤ７１の第４セクション７６のスタート７６から、図５ａの第１ファイル５０の第２セクション５２から残りの映像情報の記録を続ける。第５セクション７８への記録は、例えば、再生可能要求に対して必要とされるようなデ・アイシングを除いて実行される必要はない。ＰＴＰタイプ記録キャリア上で、レコーダはレイヤ移行後に、第４セクション７６のスタート７５から外側に開始されるため、第６セクション７８はレコーダにアクセス可能を維持される。第４セクション７６のエンド７７は、映像情報のエンドにより決定される。
【００５４】
図８は、再生装置とレコーダを有するデュアルレイヤ記録キャリアを複製するシステムを示す。
【００５５】
ソースデュアルレイヤ記録キャリア８０が、ターゲットデュアルレイヤ記録キャリア８１に複製される。再生装置８２は、記録キャリア８０から読み出される情報の読み出し及び復号を実行するベーシックエンジン８４を通じてソース記録キャリア上の情報にアクセス可能である。プロセッサ８８はベーシックエンジン８４に結合され、ベーシックエンジン８４に指示を与えると共に、ベーシックエンジン８４により抽出される情報を受信することができる。ベーシックエンジン８４を用いて、プロセッサ８８は、まずソース記録キャリア８０の第１レイヤから映像情報を抽出し、レイヤ移行ポイントの論理アドレスに留意し、その後、ソース記録キャリア８０の第２レイヤから残りの映像情報を抽出することによって、ソース記録キャリア８０の第１レイヤからレイヤ移行ポイントの論理アドレスと映像情報の両方を抽出することができる。
【００５６】
プロセッサ８８はさらに、ユーザインタフェース８６と出力９０に結合される。ユーザインタフェース８６を介し、ユーザは、再生装置により開始される複製プロセスを開始するよう再生装置に指示することができ、あるいは、再生装置８２によりレコーダ８３に提供されるファイル又はデータストリームのフォーマットを調整することができる。例えば、図５ａと５ｂにそれぞれ示される２つのファイルフォーマット間の選択は、異なるレコーダが異なるファイルフォーマットを要求する場合、互換性を保証するため実現可能である。ユーザはまた、再生装置にレコーダ又はファイルへのレイヤ移行ポイントの論理アドレスの出力を止めるよう指示することができる。
【００５７】
レイヤ移行ポイントの論理アドレスと映像情報を有するデータストリーム又はファイルが、プロセッサ８８によってインタフェース９０を介しレコーダ８３の入力９１に提供される。レコーダ８３がレイヤ移行ポイントの論理アドレスと映像情報の両方を有するデータストリーム又はファイルを受信すると、入力９１は、当該データストリーム又はファイルをプロセッサ８９に提供する。
【００５８】
プロセッサ８９は、ユーザインタフェース８７に結合される。ユーザインタフェース８７を介し、ユーザは、レコーダに複製プロセスを開始するよう指示することが可能であり、又は、レコーダに再生装置８２からレコーダ８３へのファイルの転送を開始するよう指示することが可能である。さらに、ユーザインタフェース８７は、再生装置８２からレコーダ８３により受け付けられたデータストリーム又はファイルのフォーマットを調整するのに利用可能である。例えば、図５ａと５ｂにそれぞれ示される２つのファイルフォーマット間の選択は、異なる再生装置が異なるファイルフォーマットを提供する場合、互換性を保証するのに実現可能である。ユーザインタフェース８７はまた、再生装置により与えられるようなレイヤ移行ポイントの論理アドレスを無視し、代わりにレイヤ移行ポイントの適切なポジションを配置するよう映像情報を処理するようにレコーダ８３に指示するのに利用可能である。
【００５９】
複製プロセスについて、再生装置８２は以下のステップを実行する。
・光ピックアップが第１レイヤにフォーカスされるプロセッサ８８の制御の下、ベーシックエンジン８４を用いてソースマルチレイヤ記録キャリア上の第１レイヤから映像情報を抽出するステップ
・この場合に光ピックアップが第２レイヤにフォーカスされるプロセッサ８８の制御の下、ベーシックエンジン８４を用いてソースマルチレイヤ記録キャリア上の第２レイヤから映像情報を抽出するステップ
・第１及び第２レイヤから抽出されたすべての映像情報を記録装置に転送するステップ
この転送は、再生装置８２のユーザインタフェース８６又はレコーダ８３のユーザインタフェース８７を介しユーザにより開始することができる。あるいは、この転送は、パーソナルコンピュータにおいて利用されるＩＤＥインタフェース制御再生装置及びレコーダの場合など、再生装置８２及び／又はレコーダ８３が各自のインタフェースを介しコンピュータ制御される場合、再生装置８２及び／又はレコーダ８３のインタフェース９０と９１を介し開始することができる。
・レイヤ移行ポジションの論理アドレスを決定するステップ
その後、レコーダは、上記適切なポイントがターゲット記録キャリアの固定されたレイヤ移行ポイントにより配列可能となるように、映像情報の適切なポイントを決定しなければならない。
【００６０】
これは、例えば、再生装置により提供されるファイルから当該論理アドレスを抽出することによって、又は、映像情報を処理し、レイヤ移行に対して適切なポジションの論理アドレスを決定するなどによって、再生装置からソース記録キャリア上のレイヤ移行ポイントの論理アドレスを取得することにより実現することができる。
・映像情報の第１セクションのサイズを決定するステップ
ソース記録キャリアのレイヤ移行ポイントまでの映像情報の第１セクションのサイズを決定することによって、ターゲット記録キャリアの第１レイヤの論理アドレススペースの正確なサイズを確定することができる。
・調整された第１論理アドレスから第１映像セクションの記録を開始するとき、決定されたレイヤ移行ポイントがターゲット記録キャリアのレイヤ移行ポイントの論理アドレスと一致するように、ターゲットマルチレイヤ記録キャリアの第１レイヤ上の第１論理アドレスの物理位置を調整するステップ
映像情報の第１セクションのサイズを、通常のアドレッシングシステムにおいて最後の最大の物理アドレスから減ずることによって、最初の論理アドレスの正確な物理アドレスを取得することができる。結果として得られる論理アドレススペースは、映像情報の第１セクションにちょうど適合するのに十分な大きさとなる。
・ターゲットマルチレイヤ記録キャリアの第１レイヤ上の調整された最初の論理アドレスにおいて開始されるターゲットマルチレイヤ記録キャリアに記録装置に転送された映像情報を記録するステップ
論理アドレススペースを調整した後、レコーダ８３のプロセッサ８９は、映像情報の記録を開始することができる。
【００６１】
レコーダ８３は、プロセッサ８９を用いて映像情報を処理することにより、ターゲットマルチレイヤ記録キャリアに受信した映像情報を記録する。その後、プロセッサ８９は、記録規格により規定されるように、適切な形式による映像情報を、ターゲットマルチレイヤ記録キャリア８１上への記録に適した信号に情報を変換するベーシックエンジン８５へのアドレッシング情報などの他の必要とされる情報と共に提供する。このレイヤ移行は、レコーダ８３が物理アドレススペースのエンドに到達すると、レコーダ８３により自動的に実行される。
【００６２】
レイヤ移行ポイントの論理アドレスが、映像情報を処理することにより決定されないとき、再生装置は、以下の追加的な２つのステップを実行する必要がある。
・プロセッサ８８の制御の下、ベーシックエンジン８４を用いてソースマルチレイヤ記録キャリアからレイヤ移行ポイントを抽出するステップ
レイヤ移行ポイントの論理アドレスは、複数の方法により決定することができる。この再生は、記録キャリアのリードインへのエントリからレイヤ移行ポジションの論理アドレスを抽出することが可能であり、又は、ソース記録キャリアから映像情報を抽出しながら、レイヤ移行ポイントの論理アドレスに留意することによりレイヤジャンプのポジションを決定することができる。複製について、すべての映像情報は記録キャリアから抽出される必要があり、このため、再生は、デュアルレイヤソース記録キャリアの場合、レイヤ移行に自動的に直面するであろう。
【００６３】
レイヤ移行ポイントを記録装置に転送するステップ
レイヤ移行ポイントの論理アドレスの転送は、再生装置８２のユーザインタフェース８６を介し、又はレコーダ８３のユーザインタフェース８７を介しユーザにより開始することができる。あるいは、当該転送は、パーソナルコンピュータにおいて使用されるＩＤＥインタフェース制御再生装置及びレコーダの場合など、再生装置８２及び／又はレコーダ８３が各自のインタフェースを介しコンピュータ制御されている場合、再生装置８２及び／又はレコーダ８３のインタフェースを介し開始することができる。レイヤ移行ポイントの論理アドレスの転送が、映像情報の転送とは独立に、又はそれと共に転送可能であることは明らかである。レイヤ移行ポイントの論理アドレスが、映像情報を処理することにより決定されるとき、再生装置は、上述の２つの追加的ステップの代わりに以下の追加的ステップを実行する必要がある。
・レイヤ移行の要求に従うレイヤ移行ポイントに対する論理アドレスを決定するため、映像情報を処理するステップ
【図面の簡単な説明】
【００６４】
【図１】図１は、デュアルレイヤＯＴＰ記録キャリアに記録される映像情報を示す。
【図２】図２は、デュアルレイヤＰＴＰ記録キャリアに記録される映像情報を示す。
【図３】図３は、デュアルレイヤＯＴＰ記録キャリアに記録される映像情報を示す。
【図４】図４は、デュアルレイヤＰＴＰ記録キャリアに記録される映像情報を示す。
【図５ａ】図５ａは、再生装置からレコーダへ映像情報を転送するためのファイル構造を示す。
【図５ｂ】図５ａは、再生装置からレコーダへ映像情報を転送するためのさらなるファイル構造を示す。
【図６】図６は、他のデュアルレイヤＯＴＰ記録キャリアを複製するのに用意されたデュアルレイヤＯＴＰ記録キャリアを示す。
【図７】図７は、他のデュアルレイヤＰＴＰ記録キャリアを複製するのに用意されたデュアルレイヤＰＴＰ記録キャリアを示す。
【図８】図８は、再生装置とレコーダを有するデュアルレイヤ記録キャリアを複製するシステムを示す。
【図１】
2007507825.tif 000002
【図２】
2007507825.tif 000003
【図３】
2007507825.tif 000004
【図４】
2007507825.tif 000005
【図５ａ】
2007507825.tif 000006
【図５ｂ】
2007507825.tif 000007
【図６】
2007507825.tif 000008
【図７】
2007507825.tif 000009
【図８】
2007507825.tif 000010